【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
第１の交代視型コンタクトレンズおよび第２の交代視型コンタクトレンズの多焦点コンタクトレンズ対であって、
第１のレンズおよび第２のレンズのそれぞれが、前面および後面を有しており、
ここで、
各レンズの前面が、垂直経線および水平経線、および中央光学ゾーンを有しており、各レンズの中央光学ゾーンは、上方光学ゾーン、下方光学ゾーンおよび光学ブレンディングゾーンを有しており、光学ブレンディングゾーンは、上方光学ゾーンから下方光学ゾーンへの滑らかな面移行を保証しかつ上方光学ゾーンおよび下方光学ゾーンの互いに独立した設計および最適化を可能にする面を有しており、これにより、上方光学ゾーンおよび下方光学ゾーンにおいてゴーストイメージもしくはぼやけを最小限に抑えるかまたはなくすことができ、第１のレンズの上方光学ゾーンが、遠方視力矯正のためのものであり、第１のレンズの下方光学ゾーンが、中間視力矯正もしくは近方視力矯正のためのものであり、第２のレンズの上方光学ゾーンが、遠方視力矯正もしくは中間視力矯正のためのものであり、第２のレンズの下方光学ゾーンが、中間視力矯正もしくは近方視力矯正のためのものである、多焦点コンタクトレンズ対。
【請求項２】
上方光学ゾーンの頂点が、中央光学ゾーンの中心と一致しており、下方光学ゾーンの頂部中心が、垂直経線もしくは垂直経線に平行でかつ中央光学ゾーンの中心を通って延びる線と、光学ブレンディングゾーンとの境界線との交点に位置しており、光学ブレンディングゾーンの幅が、中心で約０．１mm以下であり、下方光学ゾーンの頂部中心および下方光学ゾーンの頂部中心における曲率中心を通って延びる第１の線が、上方光学ゾーンの頂点および後面の頂点における曲率中心を通って延びる第２の線と交差しており、第１の線と第２の線との交点が、ベース光学面の頂点における曲率中心の２mm以内の位置にある、請求項１記載の多焦点コンタクトレンズ対。
【請求項３】
光学ブレンディングゾーンが、垂直経線もしくは垂直経線に平行でかつ中央光学ゾーンの中心を通って延びる線を通って切断する面に関して鏡面対称となっており、光学ブレンディングゾーンの面が、第１の光学ゾーンおよび第２の光学ゾーンのいずれよりもはるかに大きな局所的な曲率もしくは屈折度を有しており、これにより、軸方向の光が、装用者の眼の斑部から光を屈折するようになっている、請求項２記載の多焦点コンタクトレンズ対。
【請求項４】
第１および第２のレンズの上方ゾーンが、互いに独立して、装用者の２つの眼の一方の遠方視力矯正に対する矯正自覚屈折力を有する、請求項２記載の多焦点コンタクトレンズ対。
【請求項５】
第１のレンズの下方光学ゾーンが、近方視力矯正のための近方屈折度を有し、第２のレンズの下方光学ゾーンが、中間視力矯正のための中間屈折度を有し、近方屈折度が第１のＡＤＤ値を有し、中間屈折度が第２のＡＤＤ値を有し、第２のＡＤＤ値が、第１のＡＤＤ値の２５〜７５％である、請求項４記載の多焦点コンタクトレンズ対。
【請求項６】
第２のＡＤＤ値が、０．５〜１．５ジオプタであり、第１のＡＤＤ値が、１．５〜３．０ジオプタである、請求項５記載の多焦点コンタクトレンズ対。
【請求項７】
第１のレンズについて、上方光学ゾーンの下方光学ゾーンに対する大きさの比が、約１．６以上であり、第２のレンズについて、上方光学ゾーンの下方光学ゾーンに対する大きさの比が、約１．５以下である、請求項５記載の多焦点コンタクトレンズ対。
【請求項８】
第１のレンズについて、上方光学ゾーンの頂点から、垂直経線もしくは垂直経線に平行でかつ中央光学ゾーンの中心を通って延びる線と、下方光学ゾーンの光学ブレンディングゾーンとの上側境界線との交点への距離が、０．６〜１．５mmであり、第２のレンズについて、上方光学ゾーンの頂点から、垂直経線もしくは垂直経線に平行でかつ中央光学ゾーンの中心を通って延びる線と、下方光学ゾーンの光学ブレンディングゾーンとの上側境界線との交点への距離が、約０．７mm未満である、請求項７記載の多焦点コンタクトレンズ対。
【請求項９】
第１のレンズの上方光学ゾーンが、装用者の２つの眼の一方の遠方視力矯正のための矯正自覚屈折力を有し、第２のレンズの上方光学ゾーンが、中間視力矯正のための第１の中間屈折度を有する、請求項２記載の多焦点コンタクトレンズ対。
【請求項１０】
第１および第２のレンズの下方ゾーンが、近方視力矯正のための近方屈折度を有する、請求項９記載の多焦点コンタクトレンズ対。
【請求項１１】
第１および第２の両レンズについて、上方光学ゾーンの下方光学ゾーンに対する大きさの比が、約１．６以上である、請求項１０記載の多焦点コンタクトレンズ対。
【請求項１２】
近方屈折度が第１のＡＤＤ値を有し、第１の中間屈折度が第２のＡＤＤ値を有し、第２のＡＤＤ値が、第１のＡＤＤ値の２５〜７５％である、請求項１１記載の多焦点コンタクトレンズ対。
【請求項１３】
第１のレンズの下方光学ゾーンが、中間視力矯正のための第２の中間屈折度を有し、第２のレンズの下方光学ゾーンが、近方視力矯正のための近方屈折度を有する、請求項９記載の多焦点コンタクトレンズ対。
【請求項１４】
近方屈折度が第１のＡＤＤ値を有し、第１の中間屈折度が第２のＡＤＤ値を有し、第２の中間屈折度が第３のＡＤＤ値を有し、第２のＡＤＤ値および第３のＡＤＤ値が、互いに独立して、第１のＡＤＤ値の２５〜７５％となっている、請求項１３記載の多焦点コンタクトレンズ対。
【請求項１５】
第２のレンズについて、上方光学ゾーンの下方光学ゾーンに対する大きさの比が、約１．５以下であり、第１のレンズについて、上方光学ゾーンの下方光学ゾーンに対する大きさの比が、約１．６以上である、請求項１４記載の多焦点コンタクトレンズ対。
【請求項１６】
第２のレンズについて、上方光学ゾーンの頂点から、垂直経線もしくは垂直経線に平行でかつ中央光学ゾーンの中心を通って延びる線と、下方光学ゾーンの光学ブレンディングゾーンとの上側境界線との交点への距離が、０．６〜１．５mmであり、第１のレンズについて、上方光学ゾーンの頂点から、垂直経線もしくは垂直経線に平行でかつ中央光学ゾーンの中心を通って延びる線と、下方光学ゾーンの光学ブレンディングゾーンとの上側境界線との交点への距離が、約０．７mm未満である、 請求項１５記載の多焦点コンタクトレンズ対。
【請求項１７】
各レンズが、物理的なフィーチャを有し、これにより、眼におけるレンズの位置的および回転の安定性が維持される、請求項２記載の多焦点コンタクトレンズ対。
【請求項１８】
物理的フィーチャが、様々な厚みプロファイルを利用してレンズ配向を制御するプリズムバラスト、レンズの幾何学的形状の一部を除去しレンズ配向を制御するファセット面、瞼との相互作用によってレンズを配向させるリッジフィーチャ、上部スラブオフゾーンと下部スラブオフゾーンとを有し眼におけるレンズ配向を維持するダブルスラブオフフィーチャ、およびレンズの光学ゾーンの周りを囲むレンズの周縁ゾーンに設けられた非プリズムバラストフィーチャを含む群から選択される、請求項１７記載の多焦点コンタクトレンズ対。
【請求項１９】
各レンズの前面が、周縁ゾーンと、端部ゾーンと、中央光学ゾーンから周縁ゾーンへと外側に延びかつ中央光学ゾーンから周縁ゾーンへの連続的な移行を提供する第１のブレンディングゾーンと、周縁ゾーンから端部ゾーンへと外側に延びかつ周縁ゾーンから端部ゾーンへの連続的な移行を提供する第２のブレンディングゾーンとをさらに有しており、前面が、垂直経線平面に関して鏡面対称になっており、少なくとも一次導関数で連続になっており、レンズ厚みを周縁ゾーンおよび第２のブレンディングゾーン内で変化させることによって、各レンズの下半部分に重心が置かれ、眼においてレンズが平衡位置となるようにし、各レンズが、垂直経線の下部分と約３５度以上で角度をなす２本の扇形境界形成半経線および２本の扇形境界形成半径線間に含まれる端部部分によって区切られている扇形において、レンズ厚みが、周縁ゾーンの内側境界から各半経線に沿ってレンズ厚みの最大値に達するまで漸次的に増大し、その後減少することを特徴するレンズ厚みプロファイルを有する、請求項２記載の多焦点コンタクトレンズ対。
【請求項２０】
レンズ厚みプロファイルが、（１）周縁ゾーンでの各レンズ厚みが、垂直経線の上部分に沿って、実質的に一定であるかまたは周縁ゾーンの外側境界から周縁ゾーンの内側境界へと漸次的に増加しており、２つの交点、つまり垂直経線の上部分と周縁ゾーンの外側境界との交点、および垂直経線の上部分と周縁ゾーンの内側境界との交点でのレンズ厚みの値の差が、５０％より小さくなっていること、および／または（２）周縁ゾーンでのコンタクトレンズのレンズ厚みが、垂直経線の下部分に沿って、周縁ゾーンの内側境界から周縁ゾーンの外側境界へと漸次的に増加しており、２つの交点、つまり垂直経線の下部分と周縁ゾーンの内側境界との交点、および垂直経線の下部分と周縁ゾーンの外側境界との交点でのレンズ厚みの値の差が、約１５％から約６５％となっていることをさらに特徴としている、請求項１９記載の多焦点コンタクトレンズ対。
【請求項２１】
第１および第２のレンズの少なくとも一方の上方光学ゾーンが、上方光学ゾーンの下部分でより近視眼的になる垂直方向に配向するコマ収差を含む、請求項２記載の多焦点コンタクトレンズ対。
【請求項２２】
第１および第２のレンズの少なくとも一方の中央光学ゾーンが、上方光学ゾーンと下方光学ゾーンとの間で、漸進的な屈折力ゾーンを有する、請求項２記載の多焦点コンタクトレンズ対。
【請求項２３】
多焦点コンタクトレンズ対の製造方法であって、
第１のコンタクトレンズおよび第２のコンタクトレンズを設計するステップを含み、
ここで、
第１および第２の各レンズが、前面および後面を有し、各レンズの前面が、垂直経線および水平経線、および中央光学ゾーンを有し、各レンズの中央光学ゾーンが、上方光学ゾーン、下方光学ゾーンおよび光学ブレンディングゾーンを有し、光学ブレンディングゾーンが、上方光学ゾーンから下方光学ゾーンへの滑らかな面移行を保証しかつ上方光学ゾーンおよび下方光学ゾーンの互いに独立した設計および最適化を可能にする面を有し、これにより、上方光学ゾーンおよび下方光学ゾーンからのゴーストイメージもしくはぼやけを最小限に抑えるかまたはなくすことができ、第１のレンズの上方光学ゾーンが、遠方視力矯正のためのものであり、第１のレンズの下方光学ゾーンが、中間視力矯正もしくは近方視力矯正のためのものであり、第２のレンズの上方光学ゾーンが、遠方視力矯正もしくは中間視力矯正のためのものであり、第２のレンズの下方光学ゾーンが、中間視力矯正もしくは近方視力矯正のためのものである、方法。
【請求項２４】
製造手段によって眼科用レンズを製造するステップをさらに含む、請求項２３記載の方法。
【請求項２５】
製造手段が、コンピュータ制御可能な製造装置である、請求項２４記載の方法。
【請求項２６】
コンピュータ制御可能な製造装置が、数値制御型旋盤である、請求項２５記載の方法。